(57)【要約】【課題】コネクタの基端側に延出する電線が、コネクタのキャビティの開口周縁部に大きい力で押し当てられることを抑制することを目的とする。【解決手段】コネクタ付電線１０は、コネクタ本体２１と延出部２６とを備えるコネクタ２０と、端子付電線３０と、被覆部４０とを備える。コネクタ本体２１の基端部２４は、一方向に長い長方形状に形成されている。コネクタ本体２１には、その基端部２４側で開口するキャビティ２２が基端部２４の長手方向において異なる位置に複数形成されている。延出部２６は、コネクタ本体２１の基端部２４の外周縁部のうち一対の短辺側部分２４ａからコネクタ本体２１の基端部２４の外方に向けて延出している。テープ４２が、コネクタ２０から複数の端子付電線３０の電線３２に亘る部分に、延出部２６の外側から巻付けられることにより、被覆部４０が形成されている。【選択図】図３
2016152196.tif 000002
【特許請求の範囲】
【請求項１】
相手側コネクタに接続される先端部と、前記先端部とは反対側の基端部とを含み、前記基端部が一方向に長い長方形状に形成されると共に、前記基端部側で開口するキャビティが前記基端部の長手方向において異なる位置に複数形成されたコネクタ本体と、前記コネクタ本体の基端部の外周縁部のうち一対の短辺側部分から前記コネクタ本体の基端部外方に向けて延出する延出部とを備えるコネクタと、
電線の端部に端子が取付けられ、前記端子の全体が前記キャビティ内に収容された状態で、前記電線が前記キャビティの前記基端部側の開口からコネクタ本体の基端部外方に延出する複数の端子付電線と、
テープが、前記コネクタから前記複数の端子付電線の電線に亘る部分に、前記延出部の外側から巻付けられることにより形成された被覆部と、
を備えるコネクタ付電線。
【請求項２】
請求項１に記載のコネクタ付電線であって、
前記延出部は、前記コネクタ本体に一体形成されている、コネクタ付電線。
【請求項３】
請求項１に記載のコネクタ付電線であって、
前記延出部は、前記コネクタ本体とは別体に形成され、前記コネクタ本体に装着可能に形成されている、コネクタ付電線。
【請求項４】
請求項１〜請求項３のいずれか１項に記載のコネクタ付電線であって、
前記延出部は、前記コネクタ本体の基端部の外周縁部のうち前記一対の短辺側部分を含みかつ一対の長辺側部分の中央部を除く部分から前記コネクタ本体の基端部外方に向けて延出している、コネクタ付電線。
【請求項５】
相手側コネクタに接続される先端部と、前記先端部とは反対側の基端部とを含み、前記基端部が一方向に長い長方形状に形成されると共に、前記基端部側で開口するキャビティが前記基端部の長手方向において異なる位置に複数形成されたコネクタ本体と、
前記コネクタ本体の基端部の外周縁部のうち一対の短辺側部分から前記コネクタ本体の基端部外方に向けて延出する延出部と、
を備えるコネクタ。
【発明の詳細な説明】
【技術分野】
【０００１】
本発明は、電線と電線の端部に接続されたコネクタとの間で防水を図るための技術に関する。
【背景技術】
【０００２】
自動車等の車両に搭載されるワイヤーハーネスにおいて、コネクタ付電線は、絶縁電線とその端部に接続されたコネクタとを備える。
【０００３】
また、コネクタ付電線においては、例えば、特許文献１に示されるように、絶縁電線とその端部に接続されたコネクタとの隙間に水等の液体の侵入を防ぐ防水構造が採用されることがある。
【０００４】
特許文献１では、テープ状の紫外線硬化樹脂からなる基体と粘着剤との２層構造を有する紫外線硬化粘着テープがコネクタから電線に亘る部分に粘着剤を内側にして巻き付けられて硬化した被覆部材により防水が図られている。
【先行技術文献】
【特許文献】
【０００５】
【特許文献１】特開２０１３−１８７００４号公報
【発明の概要】
【発明が解決しようとする課題】
【０００６】
しかしながら、特許文献１に開示の技術によると、コネクタの基端側に延出する複数の電線は、粘着テープによって結束される。このため、各電線が、コネクタのキャビティの開口周縁部に強い力で押し当てられてしまう恐れがある。
【０００７】
そこで、本発明は、コネクタの基端側に延出する電線が、コネクタのキャビティの開口周縁部に大きい力で押し当てられることを抑制することを目的とする。
【課題を解決するための手段】
【０００８】
上記課題を解決するため、第１の態様に係るコネクタ付電線は、相手側コネクタに接続される先端部と、前記先端部とは反対側の基端部とを含み、前記基端部が一方向に長い長方形状に形成されると共に、前記基端部側で開口するキャビティが前記基端部の長手方向において異なる位置に複数形成されたコネクタ本体と、前記コネクタ本体の基端部の外周縁部のうち一対の短辺側部分から前記コネクタ本体の基端部外方に向けて延出する延出部とを備えるコネクタと、電線の端部に端子が取付けられ、前記端子の全体が前記キャビティ内に収容された状態で、前記電線が前記キャビティの前記基端部側の開口からコネクタ本体の基端部外方に延出する複数の端子付電線と、テープが、前記コネクタから前記複数の端子付電線の電線に亘る部分に、前記延出部の外側から巻付けられることにより形成された被覆部とを備える。
【０００９】
第２の態様は、第１の態様に係るコネクタ付電線であって、前記延出部は、前記コネクタ本体に一体形成されているものである。
【００１０】
第３の態様は、第１の態様に係るコネクタ付電線であって、前記延出部は、前記コネクタ本体とは別体に形成され、前記コネクタ本体に装着可能に形成されているものである。
【００１１】
第４の態様は、第１〜第３のいずれか１つの態様に係るコネクタ付電線であって、前記延出部は、前記コネクタ本体の基端部の外周縁部のうち前記一対の短辺側部分を含みかつ一対の長辺側部分の中央部を除く部分から前記コネクタ本体の基端部外方に向けて延出しているものである。
【００１２】
第５の態様に係るコネクタは、相手側コネクタに接続される先端部と、前記先端部とは反対側の基端部とを含み、前記基端部が一方向に長い長方形状に形成されると共に、前記基端部側で開口するキャビティが前記基端部の長手方向において異なる位置に複数形成されたコネクタ本体と、前記コネクタ本体の基端部の外周縁部のうち一対の短辺側部分から前記コネクタ本体の基端部外方に向けて延出する延出部とを備える。
【発明の効果】
【００１３】
コネクタ本体の基端部が一方向に長い長方形状に形成されると共に、基端部側で開口するキャビティが前記基端部の長手方向において異なる位置に複数形成されている場合、キャビティの開口から延出する複数の電線は、基端部の長手方向において中央に寄せられ、キャビティの開口周縁部に比較的強い力で押し当てられ易い。そこで、第１の態様〜第５の態様では、コネクタ本体の基端部の外周縁部のうち一対の短辺側部分からコネクタ本体の基端部外方に向けて延出するように延出部を設け、テープが、コネクタから複数の端子付電線の電線に亘る部分に、前記延出部の外側から巻付けられることにより被覆部を形成した構成としている。これにより、複数の電線が緩やかに曲りつつコネクタ本体の基端部の長手方向において中央に寄せられる。このため、コネクタの基端部側に延出する電線が、コネクタのキャビティの開口周縁部に大きい力で押し当てられることを抑制することができる。
【００１４】
第２の態様によると、延出部は、コネクタ本体に一体形成されているため、テープを巻付ける際に、延出部がコネクタ本体から位置ずれ等し難くなる。
【００１５】
第３の態様によると、コネクタ本体に対して、延出部を追加して設けることが可能となる。
【００１６】
第４の態様によると、延出部を構成する材料の削減が可能となる。
【図面の簡単な説明】
【００１７】
【図１】実施形態に係るコネクタ付電線を示す概略斜視図である。
【図２】コネクタを示す概略斜視図である。
【図３】コネクタ付電線の内部構成を示す概略断面図である。
【図４】変形例に係るコネクタを示す概略斜視図である。
【図５】他の変形例に係るコネクタを示す概略斜視図である。
【図６】さらに他の変形例に係るコネクタを示す概略斜視図である。
【図７】同上の変形例に係るコネクタの分解概略斜視図である。
【発明を実施するための形態】
【００１８】
以下、実施形態に係るコネクタ付電線及びコネクタについて説明する。図１はコネクタ付電線１０を示す概略斜視図であり、図２はコネクタ２０を示す概略斜視図であり、図３はコネクタ付電線１０の内部構成を示す概略断面図である。図３において説明の便宜上、コネクタ２０の両側部側の端子付電線３０が図示され、他の電線については省略されている。
【００１９】
コネクタ付電線１０は、コネクタ２０と、複数の端子付電線３０と、被覆部４０とを備える。かかるコネクタ付電線１０は、例えば、車両における配線材として用いられる。コネクタ付電線１０は、車両において、定常的な水かかりの恐れが少なく、また、その量の少ない場所、例えば、濡れた人員の乗り込み、濡れた物の持ち込み、又は、飲料のこぼれ等による水かかりが発生する車室内に配設されることが想定されている。つまり、このコネクタ付電線１０は、それほど高い防水性は必要ではないが、一時的な水かかり等に対しては内部への水の浸入を防止できる程度の防水性を有するものとして用いられる。
【００２０】
コネクタ２０は、コネクタ本体２１と、延出部２６とを備える。
【００２１】
コネクタ本体２１は、樹脂等の絶縁材料によって形成されている。コネクタ本体２１の一端部である先端部２３は、相手側コネクタに接続可能に構成されている。先端部２３は、相手側コネクタの筒状部分（例えば、角筒状部分）に挿入接続される部分であること、又は、相手側コネクタが挿入される筒状部分であること等が考えられる。また、コネクタ本体２１の他端部である基端部２４は、その基端部２４の外方から見て一方向に長い長方形状に形成されている。なお、基端部２４の角部は丸まっていてもよく、ここでは、このような形状も長方形状として含む。ここでは、コネクタ本体２１は、幅方向寸法が高さ方向寸法よりも大きい、偏平な直方体状に形成されている。このため、先端部２３も、基端部２４も、それぞれの外方から見て長方形状に形成されている。もっとも、先端部２３が長方形状であることは必須ではなく、正方形状又は円形状に形成されていてもよい。
【００２２】
コネクタ本体２１には、その先端部２３から基端部２４に貫通するキャビティ２２が複数形成されている（図２及び図３参照）。特に、コネクタ本体２１は、その幅方向（つまり、基端部２４の長手方向）において異なる位置に複数のキャビティ２２が形成されている。ここでは、複数のキャビティ２２は、縦横に、より具体的には、縦２列、横４列に規則的に並ぶように形成されている。このため、コネクタ本体２１には、その幅方向（つまり、基端部２４の長手方向）において異なる位置に４つのキャビティ２２が形成されている。なお、キャビティ２２の数は、本コネクタ２０として必要とされる端子の数等に応じて任意に決定される。
【００２３】
各キャビティ２２内には、端子３４が収容保持される。通常、キャビティ２２内には、端子３４に抜止め係止する係止部（ランスと呼ばれる）が突設され、当該係止部が端子に抜止め係止する。そして、本コネクタ２０と相手側コネクタとがコネクタ接続されることで、本コネクタ２０のキャビティ２２内の端子３４と、相手側コネクタ側の端子とが接続される。
【００２４】
延出部２６は、コネクタ本体２１の基端部２４の外周縁部のうち一対の短辺側部分２４ａからコネクタ本体２１の基端部外方に向けて延出するように形成されている。ここでは、延出部２６は、一対の短辺側部分２４ａのそれぞれからキャビティ２２の基端部側開口２２ｈが向く側（電線３２が引出される側）に向けて延出する方形板状の一対の延出片２７を備える。延出片２７の突出寸法は、例えば、２ｍｍ〜１０ｍｍであることが好ましい。また、ここでは、延出部２６は、コネクタ本体２１の基端部２４の外周縁部のうち一対の長辺側部分２４ｂから延出する部分を含まない。すなわち、延出部２６は、一対の短辺側部分２４ａから延出する部分のみを含む。もっとも、後で説明する変形例のように、延出部は、基端部の外周縁部のうち一対の長辺側部分から延出する部分を含んでいてもよい。この延出部２６は、コネクタ本体２１の基端部２４の外周縁部のうち一対の短辺側部分２４ａを含みかつ一対の長辺側部分２４ｂの中央部を除く部分からコネクタ本体２１の基端部外方に向けて延出する構成の一例である。
【００２５】
また、ここでは、延出部２６は、コネクタ本体２１と一体形成された部材である。すなわち、コネクタ本体２１と延出部２６とは、軟化した樹脂を１つの金型内に注入することによって、金型一体成形された部材である。もっとも、延出部とコネクタ本体とが一体形成されていることは必須ではなく、それらを別体とした例については後で説明する。
【００２６】
また、ここでは、一対の延出片２７は、基端部２４の外向き面に対して垂直姿勢で延出しているが、必ずしもその必要は無い。例えば、一対の延出片２７は、外方に向けて内向き傾斜していてもよい。
【００２７】
端子付電線３０は、電線３２と、端子３４とを備える。
【００２８】
電線３２は、導電性の芯線の外周に絶縁性樹脂が押出被覆等されることで被覆部が形成された構成とされている。芯線は、アルミニウム又はアルミニウム合金を材料として形成されている。もっとも、芯線は、銅又は銅合金等他の金属を材料として形成されていてもよい。本電線３２は、車両等の配設対象箇所に配設された状態で、車両等に搭載された各種電気機器同士を電気的に接続するものとして用いられる。
【００２９】
電線３２の端部では、被覆部が除去されて芯線が所定長露出している。この露出した芯線に、端子３４が圧着されている。なお、電線の端部に対して端子が溶接、半田付等で取付けられていてもよい。端子は、金属材料によって形成されている。金属材料としては、銅、アルミニウム等を用いることができる。なお、電線３２の芯線と端子３４とが異種金属によって形成されている場合、それらの接続部分で異種金属接触腐食が生じ易い。このため、電線３２の芯線と端子３４とが異種金属によって形成されている場合、コネクタ２０内部への水の浸入を抑制するための構成として、本実施形態の構成を適用することができる。
【００３０】
端子３４は、電線固定部と接続部とを含む。電線固定部は、電線３２のうち被覆部に圧着される被覆圧着部と、芯線に圧着される芯線圧着部とで構成されている。接続部は、相手方の端子と電気的に接続される部分である。接続部は、筒形状のメス端子形状であってもよいし、タブ状又はピン状のオス端子形状であってもよい。
【００３１】
本端子３４は、電線３２の端部に取付けられた状態で、コネクタ２０の基端部２４側からキャビティ２２内に挿入されて、当該キャビティ２２内で抜止め固定される。この状態で、端子３４の全体がキャビティ２２内に収容されており、電線３２は、キャビティ２２の基端部２４側開口２２ｈを通ってコネクタ２０の基端部２４の外方に延出する。複数の電線３２は、複数のキャビティ２２の全部から延出していてもよいし、複数のキャビティ２２の一部である複数から延出していてもよい。後者の場合、コネクタ２０の幅方向において異なる位置にある複数のキャビティ２２から電線３２が延出している。コネクタ２０が幅方向に偏平な形状に形成され、かつ、その両側のキャビティ２２から電線３２が延出している場合において、コネクタ２０の基端部２４の外方で複数の電線３２を結束すると、当該コネクタ２０の両側のキャビティ２２から延出する電線３２がコネクタ２０の幅方向中央に寄せられる。このため、それらの電線３２がキャビティ２２の開口２２ｈの周縁部に押し当てられる。上記延出部２６は、そのようなコネクタ２０の両側のキャビティ２２から延出する電線３２がキャビティ２２の開口２２ｈの周縁部に強く押し当てられることを抑制する役割を果す。
【００３２】
被覆部４０は、テープ４２が、コネクタ２０から複数の端子付電線３０の電線３２に亘る部分に、延出部２６の外側から巻付けられることにより形成されている。
【００３３】
テープ４２としては、樹脂等により形成された帯状の基材の一方主面に粘着層が形成された粘着テープを用いるとよい。このテープ４２は、例えば、コネクタ２０から離れた位置で、複数の電線３２にそれらを束ねるように巻付けられた後、延出部２６の外側を通り、コネクタ本体２１の基端部２４の外周に向けて螺旋状に巻付けられる。この際、テープ４２が、その幅方向において１／３〜２／３、好ましくは、半分程度重なり合うようにすることが好ましい。
【００３４】
コネクタ２０から離れた位置では、テープ４２は、複数の電線３２が比較的小さい外径となるように束ねられる。また、延出部２６が存在する箇所では、テープ４２は、一対の延出片２７の外側を通るように巻付けられるため、複数の電線３２を束ねる力は作用し難い。この部分では、複数の電線３２は、一対の延出片２７の間で間隔を空けた状態で存在する。従って、コネクタ本体２１の基端部２４から延出する複数の電線３２は、一対の延出片２７の間で比較的緩やかな傾きを描きつつ、延出部２６の外側で小さく束ねられる箇所に向う（図３参照）。このため、複数の電線３２、特に、コネクタ本体２１の両側に近い電線３２は、キャビティ２２の基端部２４側の開口２２ｈの周縁部に接触し難いか、或は、接触したとしても強い力で押し当てられ難い。
【００３５】
なお、テープ４２は、コネクタ本体２１から電線３２側に向うように螺旋状に巻付けられてもよい。また、テープ４２が、電線３２側とコネクタ２０側との間で複数回往復するように巻付けられてもよい。
【００３６】
なお、テープ４２は、各巻回層の間でなるべく隙間が生じないように、ある程度の引っ張り力を作用させながら巻回することが好ましい。ここでは、コネクタ本体２１の基端側に延出部２６が設けられているため、テープ４２を巻回するための力は、一対の延出片２７によって受止められ、複数の電線３２を束ねる力としては作用し難い。このため、延出部２６は、電線３２がキャビティ２２の開口２２ｈの周縁部に強い力で押し当てられ難くしつつ、テープ４２を、各巻回層の間でなるべく隙間が生じないように巻付け可能にするための役割をも果すことができる。
【００３７】
また、コネクタ２０の種類によっては、コネクタ本体２１の基端部２４に相手側のコネクタとの接続状態維持用のロック部が設けられることもある。このようなコネクタ２０においては、基端部２４のロック部の外周にテープ４２を巻付けることを避けることが好ましい。そのようなタイプのコネクタ２０においても、テープ４２を延出部２６の外側に巻付けることができるため、延出部２６は、コネクタ２０に対するテープ４２の巻き代を大きくするための役割をも果すことができる。
【００３８】
上記コネクタ付電線１０は、次のようにして製造される。
【００３９】
まず、コネクタ２０のキャビティ２２に端子付電線３０の端子３４が挿入され、コネクタ２０の基端側に複数の電線３２が延出したものを準備する（図２参照）。
【００４０】
そして、テープ４２を、コネクタ本体２１の基端部２４から複数の電線３２に亘る部分に、延出部２６の外側から螺旋状に巻付けていく。
【００４１】
これにより、図１に示すように、コネクタ付電線１０を製造することができる。
【００４２】
このように構成されたコネクタ付電線１０及びコネクタ２０によると、コネクタ本体２１の基端部２４が一方向に長い長方形状に形成されると共に、基端部２４側で開口するキャビティ２２が基端部２４の長手方向において異なる位置に複数形成されている。この場合、キャビティの開口２２ｈから延出する複数の電線３２は、その周りに巻付けられたテープにより、基端部２４の長手方向において中央に寄せられ、キャビティ２２の開口２２ｈの周縁部に比較的強い力で押し当てられ易い。そこで、コネクタ本体２１の基端部２４の外周縁部のうち一対の短辺側部分２４ａからコネクタ本体２１の基端部２４外方に向けて延出するように延出部２６を設けている。そして、テープ４２が、コネクタ２０から複数の電線３２に亘る部分に、延出部２６の外側から巻付けられることにより、被覆部４０を形成している。これにより、複数の電線３２は緩やかに曲りつつ、延出部２６の外方位置において基端部２４の長手方向中央に寄せられる。このため、コネクタ２０の基端部２４側に延出する電線３２が、キャビティ２２の開口２２ｈの周縁部に大きい力で押し当てられることを抑制することができる。
【００４３】
また、延出部２６は、コネクタ本体２１に一体形成されているため、テープ４２を巻付ける際に、延出部２６がコネクタ本体２１から位置ずれ等し難くなり、一定品質のコネクタ付電線１０を製造することができる。また、コネクタ２０を構成する部品点数を削減することができ、その製造、在庫管理等も容易となる。
【００４４】
また、延出部２６は、コネクタ本体２１の基端部２４の外周縁部のうち一対の短辺側部分２４ａを含みかつ一対の長辺側部分２４ｂの中央部を除く部分からコネクタ本体２１の基端部２４外方に向けて延出している。このため、コネクタ本体２１の基端部２４の長手方向において複数の電線３２が中央に寄せられることを抑制することにより、電線３２がキャビティ２２の開口２２ｈの周縁部に強い力で押し当てられることを有効に抑制しつつ、使用材料の削減が可能となる。また、使用材料の削減によるコスト低減、軽量化等も可能となる。
【００４５】
特に、本実施形態では、延出部２６は、基端部２４の外周縁部のうち一対の短辺側部分２４ａから延出する一対の延出片２７のみ有しているため、上記効果は顕著である。
【００４６】
上記実施形態を前提として、各種変形例について説明する。
【００４７】
まず、図４に示す変形例に係るコネクタ１２０では、コネクタ本体２１に対して、延出部２６に代えて、延出部１２６が設けられている。
【００４８】
延出部１２６は、コネクタ本体２１の基端部２４の外周縁部の全体、即ち、一対の短辺側部分２４ａ及び一対の長辺側部分２４ｂから基端部２４の外方に延出している。換言すれば、延出部１２６は、基端部２４の外周縁部の形状に応じた方形枠状に形成されている。
【００４９】
この場合であっても、コネクタ本体２１の基端部外方位置で、複数の電線３２が中央に寄せられることを抑制でき、従って、複数の電線３２がキャビティ２２の開口２２ｈの周縁部に強い力で押し当てられることを抑制できる。
【００５０】
また、図５に示す変形例に係るコネクタ２２０では、コネクタ本体２１に対して、延出部２６に代えて、延出部２２６が設けられている。
【００５１】
延出部２２６は、コネクタ本体２１の基端部２４の外周縁部のうち一対の短辺側部分２４ａ及び一方の長辺側部分２４ｂから基端部２４の外方に延出している。換言すれば、延出部２２６は、基端部２４の外周縁部の外方の３方を囲む枠状に形成されている。
【００５２】
この場合であっても、コネクタ本体２１の基端部外方位置で、複数の電線３２が中央に寄せられることを抑制でき、従って、複数の電線３２がキャビティ２２の開口２２ｈの周縁部に強い力で押し当てられることを抑制できる。
【００５３】
上記実施形態、図４及び図５に示す各変形例では、延出部２６、１２６、２２６は、コネクタ本体２１に対して一体形成された例である。
【００５４】
図６及び図７に示す変形例に係るコネクタ３２０では、コネクタ本体２１に対して、延出部３２６が別体に形成されている。
【００５５】
すなわち、この変形例では、コネクタ本体２１に対して延出部が一体形成されていない。
【００５６】
延出部３２６は、コネクタ本体２１とは別体に形成され、コネクタ本体２１に装着可能に形成されている。ここでは、延出部３２６は、一対の延出片３２７を含む。延出片３２７は、樹脂等で形成された部材であり、細長い方形状に形成されている。延出片３２７の幅寸法は、コネクタ本体２１の短辺側部分２４ａの長さ寸法よりも大きく設定されている。また、延出片３２７の長さ寸法は、上記延出片２７の長さ寸法にコネクタ本体２１への装着に必要な長さ寸法を付加した大きさに設定されている。また、延出片３２７の一方主面には、その長手方向に沿って延びる装着用溝３２７ｇが形成されている。装着用溝３２７ｇの幅寸法は、短辺側部分２４ａの長さ寸法と同じであるか、コネクタ本体２１の短辺側部分２４ａを圧入可能な範囲で当該長さ寸法よりも小さい。また、装着用溝３２７ｇは、延出片３２７の少なくとも一端側に達するように形成されている。ここでは、装着用溝３２７ｇは、延出片３２７の両端側に達するように形成されている。
【００５７】
上記一対の延出片３２７は、その一端部をコネクタ本体２１の短辺側部分２４ａから外方に延出させた状態で、その他端部の装着用溝３２７ｇ内にコネクタ本体２１の短辺側部分２４ａ側の側部が嵌め込まれることによって、コネクタ本体２１に装着される。この状態では、一対の延出片３２７は、コネクタ本体２１の基端部２４の外周縁部のうち一対の短辺側部分２４ａを含みかつ一対の長辺側部分２４ｂの中央部を除く部分からコネクタ本体２１の基端部２４外方に向けて延出している。なお、上記延出部３２６は、端子付電線の端子をキャビティ２２に挿入する前に装着されてもよいし、端子の挿入後、テープを巻回する前に装着されてもよい。
【００５８】
この変形例によっても、上記実施形態と同様に、コネクタ２０の基端部２４側に延出する電線３２が、キャビティ２２の開口２２ｈの周縁部に大きい力で押し当てられることを抑制することができる。
【００５９】
また、一対の延出片３２７を主として一対の短辺側部分２４ａに設けることで、使用材料の削減が可能となる。また、使用材料の削減によるコスト低減、軽量化等も可能となる。
【００６０】
また、当初延出部を設けていないコネクタ本体２１、例えば、既存の形状のコネクタ本体２１に対して、延出部３２６を追加できるという利点もある。
【００６１】
なお、本変形例においても、上記図４及び図５に示す各変形例と同様に、延出部が、一対の長辺側部分２４ｂの両方又は一方から延出する部分を有する構成としてもよい。
【００６２】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００６３】
１０  コネクタ付電線
２０，１２０，２２０，３２０  コネクタ
２１  コネクタ本体
２２  キャビティ
２２ｈ  開口
２３  先端部
２４  基端部
２４ａ  短辺側部分
２４ｂ  長辺側部分
２６，１２６，２２６，３２６  延出部
２７，３２７  延出片
３０  端子付電線
３２  電線
３４  端子
４０  被覆部
４２  テープ
３２７ｇ  装着用溝
【図１】
2016152196.tif 000003
【図２】
2016152196.tif 000004
【図３】
2016152196.tif 000005
【図４】
2016152196.tif 000006
【図５】
2016152196.tif 000007
【図６】
2016152196.tif 000008
【図７】
2016152196.tif 000009